(57)【要約】      （修正有）【課題】エレベータが設けられた建屋の不審者侵入等に対するセキュリティを確保する。【解決手段】複数の発光素子を高周波駆動パルス信号で点滅させる表示器が組込まれ、高周波駆動パルス信号を運転制御部４に対する指令で変調して表示器に光信号とし表示出力する携帯電話を備えている。そして、乗場呼び登録装置８及びかご呼び登録装置６は、通常時においては呼びボタン操作の受付を禁止し、携帯電話の表示器の信号光を受光し、元の指令を再生して運転制御部４へ送信する。そして、運転制御部４は受信した指令に基づいてかごに対する運転制御を行う。【選択図】図１
2008156027.tif 000002
【特許請求の範囲】
【請求項１】
乗場呼び登録装置及びかご呼び登録装置における呼びボタン操作で指定された階にかごを移動させる運転制御部を備えたエレベータにおいて、
発光素子を高周波駆動パルス信号で点滅させる表示器を有し、前記高周波駆動パルス信号を前記運転制御部に対する指令で変調して前記表示器に光信号として表示出力する携帯端末を備え、
前記乗場呼び登録装置及びかご呼び登録装置は、前記携帯端末の表示器の信号光を受光する受光部と、前記受光部で受光した光信号の点滅パルスを解析して元の指令を再生するパルス解析部と、このパルス解析部で再生された指令を前記運転制御部へ送信する送信部とを有し、
前記運転制御部は受信した指令に基づいて前記かごに対する運転制御を行う
ことを特徴とするエレベータの安全システム。
【請求項２】
前記携帯端末に設定されている前記運転制御部に対する指令は、通常時前記呼びボタン操作の受付を禁止する操作受付禁止の指示、前記操作受付禁止解除の指示、行き先階を指定したかごの移動指示、予め定められ特殊運転の指示の少なくとも１つの指示を含むことを特徴とする請求項１記載のエレベータの安全システム。
【請求項３】
前記携帯端末は、前記表示器に表示した静止画像に前記高周波の光信号を重ねて表示することを特徴とする請求項１記載のエレベータの安全システム。
【請求項４】
前記運転制御部に通信回線を介して接続され前記運転制御部の動作を監視する監視センターを設け、
前記監視センターは、携帯端末からの前記運転制御部に対する指令の送信要求に応じて当該指令を当該携帯端末へダウンロードすると共に、当該指令を前記運転制御部に送信し、
前記運転制御部は、携帯端末を用いて乗場呼び登録装置及びかご呼び登録装置から受信した指令が前記監視センターから受信した指令に一致したとき、当該指示を実施する
ことを特徴とする請求項１から３のいずれか１項記載のエレベータの安全システム。
【請求項５】
発光素子を高周波駆動パルス信号で点滅させる表示器を有し、異常検出時において、前記高周波駆動パルス信号を運転制御部に対する管制運転指令で変調して前記表示器に光信号として表示出力する異常検出器を設け、
前記乗場呼び登録装置及びかご呼び登録装置のパルス解析部は、受光部で受光した光信号の点滅パルスを解析して元の管制運転指指令を再生し、
前記運転制御部は前記管制運転指令に基づいてかごに対する管制運転を行う
ことを特徴とする請求項１から４のいずれか１項記載のエレベータの安全システム。
【発明の詳細な説明】
【技術分野】
【０００１】
本発明は、エレベータが設けられた建屋の不審者進入等に対するセキュリティ（安全性）を考慮したエレベータの安全システムに関する。
【背景技術】
【０００２】
昨今の防犯意識の向上に呼応して、建物内に不審者を侵入させない設備が、オフィスビルやマンションを中心に設置されている。例えば、マンションにおいては、このマンションの居住者、もしくは居室内のインターホンによって居住者から入場許可を受けた訪問者のみがマンションの玄関からマンション内に入場可能としたオートロックシステムなどがある。
【０００３】
エレベータにおいても、同様の防犯設備の設置要求が高まっている。例えば、入場許可信号を記憶させた磁気ストライプが組込まれた磁気カードや、ＲＦＩＤ（Radio Frequency Identification  電波を利用した認証素子  ＩＣチップ）が組込まれたＩＣカード等を用い、マンションの各階の乗場（エレベータホール）やエレベータのかご内に設置された読取機(リーダー)で各カードに記憶された入場許可情報を読取らせなければエレベータを利用できないようにしている。具体的には、各階の乗場に設けられた各乗場呼び登録装置、及びかご内に設けられたかご呼び登録装置におけるボタン操作の受付を禁止している。
【０００４】
また、最近では前述のマンションの玄関のオートロックシステムと連動して、玄関のオートロックシステムから居住者であることを識別する信号や入場許可を受けた訪問者であることを示す信号を受信しなければ、マンション内に設けられたエレベータを利用できないようにした「エレベータの呼び登録装置（特許文献１参照）」や「ＩＤ照合連動マンションＨＡシステム（特許文献２参照）などが実用化されている。
【０００５】
このように近年のエレベータでは、例えばマンションの管理者から予めカード等を発行された利用者（居住者）や、館内から一時的な許可を受けた訪問者のみが、このエレベータを利用できるようにしたシステムが多く採用されるようになった。
【特許文献１】特開平０１−０４３４７３号公報
【特許文献２】特開２００２−１２９７９３号公報
【特許文献３】特開２００５−２８０８８２号公報
【発明の開示】
【発明が解決しようとする課題】
【０００６】
しかしながら前述のようなシステムでは次のような課題があった。
【０００７】
（ａ）対象となる利用者（居住者）に対してカード等を予め配布しなければならず、システムの初期費用が増大する。
【０００８】
（ｂ）利用者（居住者）にとっては、カードを紛失した時や不携帯の際にエレベータを利用できない。
【０００９】
（ｃ）訪問者にとっても、玄関でオートロックシステムにて一時的なエレベータ利用許可を得ても、エレベータを利用できる有効時間は例えば３０秒〜５分程度であるので、この有効期間を経過した場合には、再度利用許可を得る必要があり煩雑である。
【００１０】
このような問題点を解決するために、利用者（居住者）は自己が所持する携帯電話の表示器に二次元バーコード又はＱＲコードと呼ばれる画像パターンを表示させて、この二次元バーコードをエレベータシステム側に読取らせることによってエレベータの利用者を制限する「エレベータシステム（特許文献３参照）」も提案されている。
【００１１】
しかしながら、二次元バーコードを利用した画像パターンは物理的に複写しやすい欠点がある。例えば、携帯電話の表示器に表示された当該二次元バーコードをデジタル・アナログを問わず写真に撮影することで容易に偽造でき、偽造した画像をシステム側の読取機に読取らせることで容易に部外者がマンション内に侵入できる。
【００１２】
本発明はこのような事情に鑑みてなされたものであり、エレベータが設けられた建屋の不審者侵入等に対する高度なセキュリティ（安全性）を確保でき、かつ建屋の利用者（居住者）や訪問者にとって良好な使い勝手を維持でき、しかもシステム構築費用を極力抑制できるエレベータの安全システムを提供することを目的とする。
【課題を解決するための手段】
【００１３】
本発明は、乗場呼び登録装置及びかご呼び登録装置における呼びボタン操作で指定された階にかごを移動させる運転制御部を備えたエレベータに適用される。
【００１４】
そして、上記課題を解消するために、本発明のエレベータの安全システムにおいては、複数の発光素子を高周波駆動パルス信号で点滅させる表示器を有し、高周波駆動パルス信号を運転制御部に対する指令で変調して表示器に光信号とし表示出力する携帯端末を備えている。
【００１５】
そして、前記乗場呼び登録装置及びかご呼び登録装置は、通常時呼びボタン操作の受付を禁止する操作受付禁止手段と、携帯端末の表示器の信号光を受光する受光部と、受光部で受光した光信号の点滅パルスを解析して元の指令を再生するパルス解析部と、このパルス解析部で再生された指令を運転制御部へ送信する送信部とを有する。また、運転制御部は受信した指令に基づいてかごに対する運転制御を行う。
【００１６】
このように構成されたエレベータの安全システムにおいては、この建屋のエレベータを利用する利用者は携帯端末を所持している。この携帯端末には、例えばＬＥＤ等の発光素子を高周波駆動パルス信号で点滅させる表示器が組み込まれている。高周波駆動パルス信号を運転制御部に対する指令で変調して表示器に光信号として表示出力する。そして、この表示器に表示された画像を受光して、高周波成分を抽出することによって、運転制御部に対する指令を再生可能である。高周波振動パルス信号は高速で点灯するため、人の目には感知することができない。この人の目の残像を利用した技術は可視光通信と呼ばれている。
【００１７】
したがって、利用者は、自己の携帯端末の表示器を乗場呼び登録装置又はかご呼び登録装置の受光部に向けるのみで、エレベータのかごを例えば目的階へ移動させることができる。さらに、携帯端末に表示される信号光は、高周波で人間の目でその存在自体が把握できないので、第三者が簡単に複写できない。
【００１８】
また、別の発明は、上述した発明のエレベータの安全システムにおいて、携帯端末に設定されている運転制御部に対する指令は、操作受付禁止解除の指示、行き先階を指定したかごの移動指示、予め定められ特殊運転の指示である。このように、運転制御部に対する指示を任意に設定できる。
【００１９】
また、別の発明は、上述した発明のエレベータの安全システムにおいて、携帯端末は、表示器に表示した静止画像に高周波の光信号を重ねて表示する。このようなシステムにおいては、必要に応じて運転制御部に対する指令を静止画像として表示しながら運転制御部に対する指令を登録装置を介して運転制御部へ送信できる。
【００２０】
また、別の発明は、上述した発明のエレベータの安全システムに対して、運転制御部に通信回線を介して接続され運転制御部の動作を監視する監視センターを設けている。そして、監視センターは、携帯端末からの運転制御部に対する指令の送信要求に応じて当該指令を当該携帯端末へダウンロードすると共に、当該指令を運転制御部に送信する。また、運転制御部は、携帯端末を用いて乗場呼び登録装置及びかご呼び登録装置から受信した指令が監視センターから受信した指令に一致したとき、当該指示を実施する。
【００２１】
このように構成されたエレベータの安全システムにおいては、例えば、この建屋（マンション）を訪問する訪問者は、訪問に先立って、エレベータの監視センターから該当エレベータの運転制御部に対する指示を予めダウンロードしておけば、訪問者は自己の携帯端末を用いて、エレベータを利用できる。
【００２２】
さらに、別の発明は、上述した発明のエレベータの安全システムに対して、発光素子を高周波駆動パルス信号で点滅させる表示器を備え、異常検出時において、高周波駆動パルス信号を運転制御部に対する管制運転指令で変調して表示器に光信号として表示出力する異常検出器を設けている。そして、乗場呼び登録装置及びかご呼び登録装置のパルス解析部は、受光部で受光した光信号の点滅パルスを解析して元の管制運転指指令を再生し、運転制御部は管制運転指令に基づいてかごに対する管制運転を行う。
【００２３】
このように構成されたエレベータの安全システムにおいては、例えば、火災報知器等の異常検出器が異常を検出すると、異常検出器から管制運転指令が表示器に出力され、管制運転を自動実施させることが可能となる。
【発明の効果】
【００２４】
本発明によれば、エレベータが設けられた建屋の不審者侵入等に対する高度なセキュリティ（安全性）を確保でき、かつ建屋の利用者（居住者）や訪問者にとって良好な使い勝手を維持し、しかもシステム構築費用を極力抑制できる。
【発明を実施するための最良の形態】
【００２５】
以下、本発明の各実施形態を図面を用いて説明する。
【００２６】
（第１実施形態）
図１は本発明の第１実施形態の安全システムが組込まれたエレベータの概略構成を示す模式図である。
【００２７】
例えば、マンションやビル等の建屋に組込まれた各エレベータ１においては、昇降路２の上側の機械室に、昇降路２内でかご３を上下移動させる運転制御部４が設けられている。かご３内には、このかご３に乗込んだ利用者５が行き先階を指定するためのかご呼び登録装置６が取付けられている。このかご呼び登録装置６で登録されたかご呼びは運転制御部４内の通常運転部７へ入力される。この通常運転部７には建屋の各階の乗場（エレベータホール）に設けられた乗場呼び登録装置８からの乗場呼びも入力される。
【００２８】
通常運転部７は入力されたかご呼び及び乗場呼びが指定する階をかご駆動制御部９へ送出する。かご駆動制御部９は内部に組込まれた巻上機を回転制御して、かご３を呼びが指定した階へ移動制御する。各階の乗場（エレベータホール）にはかご３に乗り込むための扉１０が設けられ、かご３にも、乗場の扉１０側にドア１１が取付けられている。
【００２９】
また、機械室内には、地震計（Ｓ波検出器）１２が設けられている。地震計（Ｓ波検出器）１２は、例えば、２００ガル等の予め定められた規定値以上の振動を検知すると、地震発生信号を異常検出部１３へ送信する。異常検出部１３は地震発生信号が入力すると、通常運転部７に運転停止指令を送出するとともに管制運転部１４を起動する。すなわち、運転モードを通常運転から管制運転に切換える。その結果、通常運転部７はかご駆動制御部９へ送出している各呼びを取消すので、かご３は緊急停止する。
【００３０】
管制運転部１４はこの停止状態のかご３を起動させて、このかご３を緊急停止位置に近い階である最寄り階まで移動させて、この最寄り階でかご３のドア１１及び最寄り階の乗場（エレベータホール）の扉１０を開く。その結果、このかご３に乗車中の乗客は、最寄り階の乗場（エレベータホール）へ退避できる。そして、乗客が退避するための一定時間経過後に、ドア１１、及び扉１０を閉じてこのかご３の運転を停止して、エレベータ保守管理会社の保守員の点検待ち状態となる。
【００３１】
また、運転制御部４内には、このエレベータ１の利用者５が所持する携帯電話１６から入力された運転制御部４に対する指令を実行するための指令実行部３５が設けられている。
【００３２】
図２は建屋の各階の乗場（エレベータホール）を示す模式図である。乗場の壁面における扉１０の近接位置に乗場呼び登録装置８が設けられている。この乗場呼び登録装置８には上方向と下方向との２つの呼びボタン１５ａ、１５ｂが設けられている。さらに、この実施形態には、この乗場（エレベータホール）でかご３に乗り込もうとする利用者５が所持する電子メールの送受信機能を有した携帯端末としての携帯電話１６の表示器１７の光信号の光強度を受光する受光器１８が取付けられている。
【００３３】
図３はエレベータのかご３内を示す模式図である。ドア１１の近接位置に、かご呼び登録装置６が設けられている。このかご呼び登録装置６には、建屋の各階を指定する複数の行き先階ボタン１９が取付られている。さらに、このかご３に乗り込んだ利用者５が所持する電子メールの送受信機能を有した携帯端末としての携帯電話１６の表示器１７の光信号の光強度を受光する受光器１８ａが取付けられている。
【００３４】
図４は利用者５が所持する携帯電話１６の概略構成を示すブロック図である。送信指示メモリ２０内には、この携帯電話１６を所持する個々の利用者５に対して例えばマンションやビルの管理者にて与えられたエレベータ１の運転制御部４に対する下記に示す各指示が記憶されている。
【００３５】
（指令ａ）  該当利用者５が利用する共通階である１階、利用者の居住階の乗場呼び登録の指示、
（指令ｂ）  かご３に乗り込んだ時に該当利用者５の居住階、基準階への移動の指示、
（指令ｃ）  地震発生時や火災発生時において、かご３を最寄り階へ移動させる管制運転の指示、
（指令ｄ）  各乗場呼び登録装置８及びかご呼び登録装置６における各呼びボタン１５ａ、１５ｂ及び行き先階ボタン１９のボタン操作の禁止解除の指示、
デジタル信号作成部２１はビットクロック信号発生器２２から出力される周波数ｆ1の図６に示すビットクロック信号ａを用いて、送信指示メモリ２０に記憶されている１つ又は複数の指示に自己のＩＤ番号を付して、図６に示すシリアル信号からなる送信指令信号ｂを作成して振幅変調部２４へ送出する。
【００３６】
図５は送信指令信号ｂのフレーム構成図である。デジタル信号作成部２１は、指令を構成する複数の文字（キャラクタ）の各文字を８ビットの直列データと１ビットのチェックコードとの９ビットで構成し、その前後にスタート（開始）ビットとエンド（終了）ビットを付加した調歩同期式通信のフレーム構成を生成する。
【００３７】
ＬＥＤ駆動クロック信号発生器２３は、ビットクロック信号ａの周波数ｆ1より１桁高い、周期で示すと数ｎｓに相当する、周波数ｆ2を有する図６に示す高周波駆動パルス信号としてのＬＥＤクロック信号ｃを生成して、振幅変調部２４へ送出する。振幅変調部２４はＬＥＤクロック信号ｃを送信指令信号ｂで振幅変調（ＢＰＳ）を行い、ＬＥＤ駆動信号ｄとしてＬＥＤ駆動部２５へ送出する。
【００３８】
キーボード２６から操作入力された電話番号等の文字はＬＥＤ表示画像作成部２７で該当文字のパターンに変換されてＬＥＤ駆動部２５へ送信される。ＬＥＤ駆動部２５は、送信指令信号ｂで変調されたＬＥＤ駆動信号ｄを用いて、多数のＬＥＤ素子がマトリックス状に配列された表示器１７に表示する。
【００３９】
したがって、表示器１７には、高周波の前記指令に関する光信号と、通常の静止画像とを重ねて表示できる。
【００４０】
インターネットを介してメール受信部２８で受信した電子メールはＬＥＤ表示メール作成部２９で該当電子メールのパターンに変換されてＬＥＤ駆動部２５へ送信される。メール送信部３０は、キーボード２６で作成された電子メールを外部のインターネットへ送信すると共にＬＥＤ表示メール作成部２９へ送出する。
【００４１】
また、通話部３１は、マイク３２から入力された音声信号を通信部３３を介して通話先に送信すると共に、通話先から入力された音声信号をスピーカ３４より音声出力する。
【００４２】
このような携帯電話１６において、表示器１７を構成する各ＬＥＤ素子は数ｎｓ又はそれ以下の周期で点滅を繰り返しており、この点滅の状態が、この点滅の周波数ｆ2の約１／１０の周波数ｆ1（約１０倍の周期）の送信指令信号ｂで変調されている。したがって、前述したように、人の目には、表示器７の点灯状態として認識され、送信指令信号ｂは認識されない。
【００４３】
このような構成の携帯電話１６を所持した利用者５は、携帯電話機１６の表示器１７をオン状態にして、キーボード２６のキー操作で、指令出力を指定すると、送信指令メモリ２０に記憶された指令が組込まれたＬＥＤ駆動信号ｄで表示器１７が点灯する。なお、送信指令メモリ２０に複数の指令が記憶されていた場合は、キーボード２６のキー操作で一つ又は、複数の指令を選択する。そして、利用者５は携帯電話１６の表示器１７を呼び登録装置８、６の受光部１８、１８ｂに向ける。
【００４４】
図７は乗場呼び登録装置８及びかご呼び登録装置６の概略構成を示すブロック図である。呼びボタン１５ａ、１５ｂ及び行き先階ボタン１９のボタン操作を受付ける操作ボタン入力部３６は、操作受付制御部３７から操作受付禁止解除指令が出力されている状態において、利用者５又は訪問者によるボタン操作を受付けて、このボタン操作を呼び作成部３８へ送信する。呼び作成部３８は、入力されたボタン操作に対応する、階を指定した乗場呼び、又は行き先階を指定したかご呼びを作成して、通信部３９を介して、運転制御部４の通常運転部７へ送出する。
【００４５】
なお、通常状態においては、第３者がエレベータを勝手に操作できないように、運転制御部４から操作受付制御部３７へ操作受付禁止指令が出力されており、操作ボタン入力部３６はボタン操作を受付けない。
【００４６】
受光部１８、１８ａは、各階の乗場において利用者５の携帯電話１６の表示器１７の光強度を検出して光検出信号をパルス解析部４０へ送出する。パルス解析部４０は、高い周波数分析機能を有し、光検出信号を、ＬＥＤ駆動信号ｄへ波形成形して、包絡線検波を実施して、シリアルの送信指令信号ｂを得て、最終の指令に変換する。
【００４７】
パルス解析部４０は解析結果の指令を通信部３９へ送出する。通信部３９はパルス解析部４０から送出された指令を伝送路を介して運転制御部４の指令実行部３５へ送出する。指令実行部３５は入力された指令を実行する。なお、各呼び登録装置６、８と運転制御部４とを接続する伝送線として、シールドされたメタルツイストケーブルや、同軸ケーブル、光ケーブル等が用いられる。
【００４８】
そして、入力された指令が（指令ａ）の場合、指令実行部３５は通常運転部７に対して該当利用者５の居住階の乗場呼び、又は共通階である１階の乗場呼びを指定する。また、（指令ｂ）の場合、指令実行部３５は通常運転部７に対して該当利用者５の居住階へのかご呼び、又は共通階である１階へのかご呼びを指定する。
【００４９】
さらに、（指令ｃ）の場合、管制運転部１４に対して管制運転の指示を指定する。また、（指令ｄ）の場合、各乗場呼び登録装置８及びかご呼び登録装置６における各呼びボタン１５ａ、１５ｂ及び行き先階ボタン１９のボタン操作の禁止解除を各乗場呼び登録装置８及びかご呼び登録装置６の操作受付制御部３７へ指示する。
【００５０】
なお、（指令ｃ）と（指令ｄ）を記憶した携帯電話１６は、マンション又はビルの管理者が所持する。
【００５１】
このように構成された第１実施形態のエレベータの安全システムにおいては、通常状態においては、エレベータ１の各階の乗場呼び登録装置８及びかご３内のかご呼び登録装置６は、ボタン操作を受付けていないので、外部の人はこのエレベータ１を利用できない。
【００５２】
このマンションやビルの利用者５は、各利用者５別に設定された上述した指令が記憶された携帯端末としての携帯電話１６を用いて、指令をエレベータ１の各登録装置６、８へ入力することによってエレベータ１を起動しているので、たとえ、指令を送出可能な携帯電話１６を所持していても、マンションやビル内を自由に移動できないので、マンションやビルの安全性をより一層向上できる。
【００５３】
さらに、携帯電話１６に記憶された運転制御部４に対する指令は、表示器１７の各ＬＥＤ素子を駆動する高周波のＬＥＤ駆動信号ｄに変調成分として組込まれているのみであるので、携帯電話１６の表示器１７の表示画面を見たのみでは、表示される指令に対応する光信号は、高周波で人間の目でその存在自体が把握できないので、第三者が簡単に複写できない。したがって、マンションやビルの安全性をさらに向上できる。
【００５４】
（第２実施形態）
図８は本発明の第２実施形態の安全システムが組込まれたエレベータの概略構成を示す模式図である。図１に示す第１実施形態の安全システムが組込まれたエレベータ１と同一部分には、同一符号を付して重複する部分の詳細説明を省略する。
【００５５】
この第２実施形態のエレベータ１ａにおいては、運転制御部４ａに通信部４１が接続されている。この通信部４１は通信回線４２を介して、エレベータ保守管理会社の監視センター４３に接続されている。監視センター４３は、一定地域内に存在する複数のエレベータの運行状態を監視する。したがって、エレベータ１ａにおいて、異常検出部１３が地震計１２から地震信号を受信すると、地震発生情報を監視センター４３へ送信する。
【００５６】
この第２実施形態の監視センター４３は、上述した一般的な機能の他に、マンションやビルにこれから訪問しようとする訪問者４５が所持する携帯端末としての携帯電話１６ａの送信指令メモリ２０に訪問に必要な指令をネットワーク４４を介してダウンロードする機能を有する。
【００５７】
具体的には、監視センター４３には、マンションやビルの訪問を受ける人から、予め訪問者の存在が登録されている。そして、マンションやビルにこれから訪問しようとする訪問者４５は、自己の携帯電話１６ａのＷｅｂアクセス機能で監視センター４３のホームページを読出し、マンションやビルの訪問先の階を指定した呼びの指令と自己のＩＤとのダウンロード要求を入力する。
【００５８】
監視センター４３から、携帯電話１６ａの送信指令メモリ２０に訪問に必要な上記内容の指令及びＩＤがネットワーク４４を介してダウンロードされる。さらに、監視センター４３は、ダウンロードした指令及びＩＤを通信回線４２を介してエレベータ１ａの運転制御部４ａへ送信する。運転制御部４ａは受信した指令及びＩＤを指令実行部３５ａの訪問者メモリに一時記憶する。
【００５９】
監視センター４３から自己の携帯電話１６ａに指令及びＩＤを書込んだ訪問者４５は、訪問先のマンションやビルの１階（共通階）の乗場（エレベータホール）で、携帯電話１６ａの電源を投入して、表示器１７をオン状態にして、表示器１７を乗場呼び登録装置８の受光部１８に向ける。すると、携帯電話１６ａに記憶された指令及びＩＤが読取られて、指令実行部３５ａの訪問者メモリに記憶されている指令及びＩＤに一致することが確認される。
【００６０】
確認が終了すると、指令実行部３５ａは入力された指令をかご駆動制御部９へ送出する。その結果、かご３が指令が指示する１階の乗場呼びに応答して、１階へ移動して、扉１０が開く。訪問者４５はかご３に乗込んで、携帯電話１６ａの表示器１７をかご呼び登録装置６の受光部１８ａに向ける。すると、携帯電話１６ａに記憶された指令及びＩＤが読取られて、かご３は訪問先の階へ移動する。
【００６１】
このように、訪問者４５は、公衆回線やインターネットを利用して監視センター４３から訪問に必要な指令を取得することができるため、指令実行部３５ａの訪問者メモリの記憶内容を定期的もしくは不定期に更新を行うことでより強固なセキュリティを提供することができ、かつ訪問者４５にも簡便に利用することができる。
【００６２】
（第３実施形態）
図９は本発明の第３実施形態の安全システムが組込まれたエレベータの各階の乗場（エレベータホール）を示す模式図である。エレベータの全体構成は図１に示す第１実施形態の安全システムが組込まれたエレベータとほぼ同じである。
【００６３】
この第３実施形態の安全システムにおいては、乗場（エレベータホール）の天井近傍位置に火災報知器４６が取付けられている。この火災報知器４６においては、火災を検知すると警報ベルを鳴動させると共に赤色の警報灯４７を点灯する。この赤色の警報灯４７に、複数のＬＥＤ発光素子を高周波駆動パルス信号で点滅させる表示器を採用して、高周波駆動パルス信号を運転制御部４に対する管制運転指令で変調して警報灯４７に光信号とし表示出力している。
【００６４】
したがって、火災発生時に管制運転が自動実施されるので、マンションやビルの安全性をより一層向上できる。
【００６５】
なお、本発明は上述した各実施形態に限定されるものではない。各実施形態では、各呼び登録装置６、８に対して指令を可視光通信で送信する機器として、ＬＥＤ発光素子が組み込まれた表示器１７、４７を備えた携帯電話１６や火災報知器４６を説明したが、高速で点滅する発光体あればどのような機器を用いてもよい。
【００６６】
さらに、携帯電話１６の表示器１７の表示画面のバックライトなどを用いれば、可視光通信を行うと同時に、それに関連した画像や文字を液晶画面に表示することもできる。たとえば、身障者呼び登録情報をエレベータの運転制御部４へ送信する際に、携帯電話１６の表示器１７に車椅子マークを表示したり、「身障者呼び指令を送信しています」などの文章を表示することで、より使い勝手が向上する。
【図面の簡単な説明】
【００６７】
【図１】本発明の第１実施形態の安全システムが組込まれたエレベータの概略構成図
【図２】同実施形態のエレベータにおける各階の乗場を示す図
【図３】同実施形態のエレベータにおけるかご内を示す図
【図４】同実施形態の安全システムで用いられる携帯電話の構成を示すブロック図
【図５】同実施形態で採用される調歩同期式シリアル通信のフレーム構成図
【図６】同実施形態の安全システムにおける携帯電話の表示器の表示動作を示すタイムチャート
【図７】同実施形態のエレベータにおける乗場呼び登録装置及びかご呼び登録装置の概略構成を示すブロック図
【図８】本発明の第２実施形態の安全システムが組込まれたエレベータの概略構成図
【図９】本発明の第３実施形態の安全システムが組込まれたエレベータの各階の乗場を示す図
【符号の説明】
【００６８】
１，１ａ…エレベータ、２…昇降路、３…かご、４，４ａ…運転制御部、５…利用者、６…かご呼び登録装置、７…通常運転部、８…乗場呼び登録装置、９…かご駆動制御部、１２…地震計、１３…異常検出部、１４…管制運転部、１６，１６ａ…携帯電話、１７…表示器、１８，１８ａ…受光部、２０…送信指令メモリ、２１…デジタル信号作成部、２２…ビットクロック信号発生器、２３…ＬＥＤ駆動クロック信号発生器、２４…振幅変調部、２５…ＬＥＤ駆動部、２６…キーボード、２７…ＬＥＤ表示画像作成部、２８…メール受信部、２９…ＬＥＤ表示メール作成部、３０…メール送信部、３１…通話部、３５…指令実行部、３６…操作ボタン入力部、３７…操作受付制御部、３８…呼び作成部、３９…通信部、４０…パルス解析部、４３…監視センター、４６…火災報知器
【図１】
2008156027.tif 000003
【図２】
2008156027.tif 000004
【図３】
2008156027.tif 000005
【図４】
2008156027.tif 000006
【図５】
2008156027.tif 000007
【図６】
2008156027.tif 000008
【図７】
2008156027.tif 000009
【図８】
2008156027.tif 000010
【図９】
2008156027.tif 000011